(57)【特許請求の範囲】
【請求項１】
配送伝票ごとに異なり荷受人の住所、氏名等とともに登録された識別情報のみを表示する第１片及びその第１片から分離可能な第２片を含む貼付票部と、その貼付票部に分離予定線を介して連接された配達票部とを有する伝票基材と、
前記貼付票部の第２片及び前記配達票部を剥離可能に貼付する基材貼付層と、
前記基材貼付層及び前記貼付票部の第１片に形成され、荷物に貼付可能な粘着層と
を備え、
前記貼付票部の第１片は、前記粘着層に剥離不能に貼付されていること
を特徴とする配送伝票。
【請求項２】
請求項１に記載の配送伝票において、
前記貼付票部の第２片は、荷受人の住所、氏名等の配送に必要な配送情報を表示すること
を特徴とする配送伝票。
【請求項３】
請求項１又は請求項２に記載の配送伝票を使用する配送伝票の使用方法であって、
配達人は、配達された荷物に貼付されている前記配達票部を剥がし、
被配達人は、前記配達された荷物に貼付されている前記貼付票部の第２片を、プライバシー保護のために剥がすこと
を特徴とする配送伝票の使用方法。
【発明の詳細な説明】
【０００１】
【発明の属する技術分野】
本発明は、百貨店の商品や、運送会社の配送荷物に貼付して使用する配送伝票とその使用方法に関するものである。
【０００２】
【従来の技術】
この種の配送伝票は、受領印が捺印された後、配達証明として運送会社に持ち帰られる配達票と、荷物とともに荷受人に引き渡される貼付票とを備えている。配達票及び貼付票に、荷受人の氏名等の配送に必要な情報（配送情報）が表示されているので、万一、配達票及び貼付票が、配送途中に剥がれてしまうと、配送先が不明になってしまう。このようになってしまうことを防止するため、貼付票は、剥離不能となっている。
【０００３】
【発明が解決しようとする課題】
しかし、プライバシー保護のために、貼付票をシュレッダー処理したいという要望が多い。
また、貼付票を剥がすことができれば、荷送人の住所、氏名等の整理が容易であるなどメリットが多い。
【０００４】
本発明の課題は、荷物を受け取った荷受人が、貼付票を簡単に剥がすことができるとともに、万一、配達途中で貼付票等が剥がれてしまっても、荷物の配送先が不明になることのない配送伝票とその使用方法を提供することである。
【０００５】
【課題を解決するための手段】
前記課題を解決するために、請求項１の発明は、配送伝票ごとに異なり荷受人の住所、氏名等とともに登録された識別情報のみを表示する第１片及びその第１片から分離可能な第２片を含む貼付票部と、その貼付票部に分離予定線を介して連接された配達票部とを有する伝票基材と、前記貼付票部の第２片及び前記配達票部を剥離可能に貼付する基材貼付層と、前記基材貼付層及び前記貼付票部の第１片に形成され、荷物に貼付可能な粘着層とを備え、前記貼付票部の第１片は、前記粘着層に剥離不能に貼付されていることを特徴とする配送伝票である。
【０００６】
請求項２の発明は、請求項１に記載の配送伝票において、前記貼付票部の第２片は、荷受人の住所、氏名等の配送に必要な配送情報を表示することを特徴とする配送伝票である。
【０００８】
請求項３の発明は、請求項１又は請求項２に記載の配送伝票を使用する配送伝票の使用方法であって、配達人は、配達された荷物に貼付されている前記配達票部を剥がし、被配達人は、前記配達された荷物に貼付されている前記貼付票部の第２片を、プライバシー保護のために剥がすことを特徴とする配送伝票の使用方法である。
【０００９】
【発明の実施の形態】
以下、図面等を参照して、本発明の実施の形態について、さらに詳しく説明する。
（第１実施形態）
図１は、本発明による配送伝票の第１実施形態を示す図であり、図１（Ａ）は平面図、図１（Ｂ）は図１（Ａ）のＢ−Ｂ断面図である。
配送伝票１０は、図１（Ａ）に示すように、伝票基材１１の裏面に、剥離層１２、樹脂層１３、粘着層１４が、順次積層して設けられ、さらに、粘着層１４を保護するための剥離紙１５が設けられた１ｐタイプのものである。
【００１０】
伝票基材１１は、荷受人の氏名等の配送に必要な情報（配送情報）等を表示する。伝票基材１１は、シート状物からなり、一般用紙、上質紙、感圧紙や感熱紙等の機能性用紙、複写用紙、クラフト紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート（ＰＥＴ）、発泡ＰＥＴ、延伸ポリスチレン、ポリ塩化ビニル等の樹脂フィルムであってもよい。伝票基材１１の厚さは、通常、２０〜２００μｍ程度が好ましい。
【００１１】
伝票基材１１は、ミシン目やハーフカット等の第１分離予定線１１ｅで、貼付票部１１ａ及び配達票部１１ｂに区画されている。
貼付票部１１ａは、配送荷物に貼付されたまま荷受人に引き渡される票部である。貼付票部１１ａは、第２分離予定線１１ｆで、固着片１１ｃ及び剥離片１１ｄに区画されている。
固着片１１ｃは、識別情報１１ｇを表示し、樹脂層１３に剥離不能に貼付されている。識別情報１１ｇは、配送伝票ごとに異なる情報であり、あらかじめ、荷受人の住所、氏名等のデータとともに、データベースに登録されている。これにより、配送途中で、万一、配達票１１ｂ及び貼付票の剥離片１１ｄが剥落しても、この識別情報１１ｇによって配送伝票１０を再発行することができる。識別情報１１ｇは、本実施形態では、数字で表示されているが、バーコード、英文字その他の記号であってもよい。
剥離片１１ｄは、荷受人の氏名等の配送に必要な情報（配送情報）を表示する。剥離片１１ｄの裏面には、剥離層１２が形成され、樹脂層１３に剥離可能に貼付されている。
【００１２】
配達票部１１ｂは、配達証明として荷受人に捺印される票部である。配送人は、荷物と引き替えに、荷受人から受領印をもらい、配達票部１１ｂを持ち帰る。
【００１３】
剥離層１２は、配達票部１１ｂ及び貼付票の剥離片１１ｄの裏面に形成された層であり、配達票部１１ｂ及び剥離片１１ｄを剥離可能にする。剥離層１２は、配達票部１１ｂ及び剥離片１１ｄの裏面に、シリコーンアクリレートを主成分とするＵＶインキによって、オフセット印刷、活版印刷等によって、厚さ、１．５〜１５μｍ程度に印刷されている。
【００１４】
この剥離層１２は、伝票基材１１の表面に、配達票部１１ｂ及び貼付票の剥離片１１ｄ等を印刷する印刷機で、見当合せを行なって、それらの裏面のみに正確に印刷されている。このため、配達票部１１ｂ及び剥離片１１ｄのみが容易に剥離され、かつ、貼付票の固着片１１ｃが配送途中で不用意に剥離してしまうことがない。
【００１５】
樹脂層１３は、伝票基材１１又は剥離層１２の裏面に形成され、伝票基材１１の一部が剥離されたときに、粘着層１４の粘着性を発現させないための目止め層である。この樹脂層１３は、ＵＶインキ、酢酸ビニル系樹脂、ＥＶＡ樹脂（エチレン／酢酸ビニル共重合体樹脂）、アクリル系樹脂、ポリウレタン系樹脂等の合成樹脂などを印刷又はコーティング等することによって形成することができる。樹脂層１３の厚さは、特に限定はされないが、通常３〜２０μｍ、好ましくは５〜１０μｍ程度である。
【００１６】
粘着層１４は、この配送伝票１０を配送荷物に貼付するための層である。粘着層１４は、アクリル系粘着剤、天然ゴム系粘着剤、合成ゴム系粘着剤、シリコーン系粘着剤などが好適に用いられる。粘着層１４の塗布量・塗布厚は、特に限定されないが、好ましくは、塗布量０．１〜５０ｇ／ｍ2 、塗布厚０．１〜５０μｍである。荷物等の被着体に対する粘着層１４の粘着力は、剥離層１２と樹脂層１３との接着力よりも大きい必要があり、荷物等の被着体に応じて、適宜、調整するとよい。
【００１７】
剥離紙１５は、粘着層１４の下に配置されている基材であり、使用前の粘着層１４を保護する層である。剥離紙１５は、紙、織物、プラスチックフィルムなどから形成されており、この上面、すなわち、粘着層１４の側の面には、シリコーン系やアクリル系、ＰＶＡ系などの離型剤によって剥離処理がなされている。剥離紙１５の厚さは、特に限定はされないが、通常２０〜２００μｍ、好ましくは４０〜１００μｍ程度である。
【００１８】
配送伝票１０は、以下のように使用する。
（１）荷送人は、貼付票１１ａ及び配達票１１ｂに配送情報を記入し、剥離紙１５を剥がして、配送伝票１０を荷物に貼付し、配達人に配送依頼する。
（２）配送依頼された配達人は、荷受人に荷物を届け、配達証明として、配達票１１ｂに荷受人から受領印をもらい、その配達票１１ｂを剥がして持ち帰る。
（３）荷物が届けられた荷受人は、貼付票の剥離片１１ｄを剥がして、シュレッダー処理し、または、保管等する。
【００１９】
本実施形態によれば、貼付票部１１ａのうち、識別情報１１ｇを表示する固着片１１ｃは、剥離不能に貼付されているので、貼付票部の剥離片１１ｄ及び配達票部１１ｂが、万一、配送途中に剥がれてしまっても、識別情報１１ｇにより、配送伝票１０を再発行することができる。
また、荷送人の住所、氏名等を表示する貼付票部の剥離片１１ｄを剥がすことができるので、シュレッダー処理等することができ、プライバシー保護を図ることができる。
さらに、貼付票部の剥離片１１ｄを剥がして容易に保管することができ、荷送人の住所、氏名等の整理が簡単で、荷送人に、お礼等を送ることや、送付されたものを後日確認することも容易である。
さらにまた、貼付票部の剥離片１１ｄの裏面（隠蔽面）に葉書欄を形成しておけば、荷受人が受領した旨の連絡に利用することができる。
【００２０】
（第２実施形態）
図２は、本発明による配送伝票の第２実施形態を示す図であり、図２（Ａ）は平面図、図２（Ｂ）は図２（Ａ）のＢ−Ｂ断面図である。
なお、前述した第１実施形態と同様の機能を果たす部分には、同一の符号を付して、重複する説明を適宜省略する。
配送伝票１０は、伝票基材１１と、剥離層１２と、接着層１６と、タック紙１７とを順次積層して設ける。
伝票基材１１は、第１分離予定線１１ｅで区画された貼付票１１ａ及び配達票１１ｂを有し、さらに、貼付票１１ａは、第２分離予定線１１ｆで区画された固着片１１ｃ及び剥離片１１ｄを有する。
固着片１１ｃは、接着層１６でタック紙１７に剥離不能に貼付されている。固着片１１ｃは、識別情報１１ｇを表示する。
剥離片１１ｄは、第２分離予定線１１ｆで囲まれて、剥離層１２によってタック紙１７に剥離可能に貼付する。剥離片１１ｄは、サービス提供情報を表示しており、本実施形態では、クーポン券として利用することができる。
タック紙１７は、基材１７ａと、荷物へ貼付するための粘着層１７ｂと、使用前に粘着層１７ｂを保護する剥離紙１７ｃとを有する。
【００２１】
本実施形態によれば、剥離片１１ｄをクーポン券として利用することができるので、紙片を増やすことなく、荷受人に新しいサービスを提供することができる。このため、荷受人が、何か荷物を発送する際に、このクーポン券を利用することが期待でき、新たな顧客獲得の手段となる。
【００２２】
（変形形態）
以上説明した実施形態に限定されることなく、種々の変形や変更が可能であって、それらも本発明の均等の範囲内である。
例えば、第２実施形態において、剥離片１１ｄは、サービス提供情報として、クーポン券としての情報のみならず、クジやイベントの参加券、割引券などとしての情報を表示してもよく、好適に利用される。
【００２３】
【発明の効果】
以上詳しく説明したように、請求項１の発明によれば、伝票基材の識別情報を表示する第１片が剥離不能に貼付されているので、配送途中に配送先が不明になってしまうことがない。
【００２４】
請求項２の発明によれば、配送情報が、貼付票部の剥離可能な第２片に表示されているので、第２片を剥離後、シュレッダー処理等して、プライバシー保護を図ることや、配送情報の整理等することが容易にできる。
【００２５】
請求項３の発明によれば、貼付票部の第２片は、サービス提供情報を表示するので、荷受人がサービスを受けるために同じ運送会社を利用することを期待できる。
【００２６】
請求項４の発明によれば、配達された荷物に貼付されている前記貼付票の第２片を剥がして後処理に利用することができるので、プライバシー保護を図ることや、荷受人の顧客としての取り込みを期待できる。
【図面の簡単な説明】
【図１】本発明による配送伝票の第１実施形態を示す図である。
【図２】本発明による配送伝票の第２実施形態を示す図である。
【符号の説明】
１０  配送伝票
１１  伝票基材
１１ａ  貼付票部
１１ｂ  配達票部
１１ｃ  固着片
１１ｄ  剥離片
１１ｅ  第１分離予定線
１１ｆ  第２分離予定線
１１ｇ  識別情報
１２  剥離層
１３  樹脂層
１４  粘着層
１５  剥離紙
１６  接着層
１７  タック紙
【図１】
0004627586.tif 000002
【図２】
0004627586.tif 000003